(57)【特許請求の範囲】
【請求項１】
重クロム酸金属塩及び／又はクロム酸金属塩を変色成分として含むハロゲン化アルキルエーテルの検知剤。
【請求項２】
多孔質担体に重クロム酸金属塩及び／又はクロム酸金属塩並びに硫酸を少なくとも含浸してなるハロゲン化アルキルエーテルの検知剤。
【請求項３】
請求項１又は２に記載の検知剤を外部から視認可能な位置に配置した状態で、ハロゲン化アルキルエーテルを含有し得る被検知ガスと接触させるハロゲン化アルキルエーテルの検知方法。
【請求項４】
ハロゲン化アルキルエーテルおよび亜酸化窒素を含有する麻酔ガスを吸着剤で処理してハロゲン化アルキルエーテルを吸着除去し、吸着後のガスを触媒の存在下で加熱して亜酸化窒素を分解する麻酔ガスの処理方法において、
請求項１又は２に記載の検知剤を用いて吸着剤で処理されたガス中のハロゲン化アルキルエーテルを検知し、この検知結果に基づき吸着剤の交換又は再生の時期を決定することを特徴とする麻酔ガスの処理方法。
【請求項５】
ハロゲン化アルキルエーテルおよび亜酸化窒素を含有する麻酔ガスが導入され、ハロゲン化アルキルエーテルの吸着剤を充填した吸着手段と、吸着後のガスが導入され、触媒の存在下で加熱により亜酸化窒素を分解する分解手段とを備える麻酔ガスの処理装置において、
吸着剤で処理されたガスに接触するように請求項１又は２に記載の検知剤を配置してガス中のハロゲン化アルキルエーテルを検知し、この検知結果に基づき吸着剤の交換又は再生が可能なように構成したことを特徴とする麻酔ガスの処理装置。
【請求項６】
前記吸着手段を複数段で構成すると共に、１段目の吸着剤で処理されたガス中のハロゲン化アルキルエーテルを前記検知剤を用いて検知し、この検知結果に基づき吸着剤の交換又は再生が可能なように構成した請求項５に記載の麻酔ガスの処理装置。
【発明の詳細な説明】
【０００１】
【発明の属する技術分野】
本発明は、重クロム酸金属塩及び／又はクロム酸金属塩を変色成分とするハロゲン化アルキルエーテルの検知剤、及びその検知剤を用いたハロゲン化アルキルエーテルの検知方法に関し、麻酔ガスに含有されるイソフルラン、セボフルランの吸着剤の飽和状態などを判断するのに有用である。また、本発明は、当該検知剤を利用した麻酔ガスの処理方法及び処理装置に関する。
【０００２】
【従来の技術】
亜酸化窒素Ｎ2 Ｏは麻酔性があり、主に補助的な麻酔剤として用いられている。そして、全身吸入麻酔には、この亜酸化窒素に加えて、揮発性麻酔薬（イソフルラン、セボフルラン）を含む麻酔ガスがよく使用されている。
【０００３】
Ｎ2 Ｏは窒素酸化物であるが化学的には比較的安定であるため、従来、ＮＯやＮＯ2 のように、環境汚染物質ＮＯＸとしては見なされていなかった。しかしながら、近年、Ｎ2 ＯはＣＯ2 、ＣＨ4 、Ｏ3 、フロン等と並んで地球温暖化および成層圏のオゾン層破壊に関与することが明らかになってきた。
【０００４】
このようにＮ2 Ｏの潜在的な環境負荷が明らかになったため、最近はＮ2 Ｏの分解に有効な触媒を求めて研究が盛んに行われている。例えば、Ｒh/Ｃe Ｏ2 がＮ2 Ｏの分解に高い活性を示すことが知られている。また、Ｒh/（Ｃe Ｏ2 ＋ＺｒＯ2 ）系触媒、Ｒh/Ａｌ2 Ｏ3 系触媒なども、Ｎ2 Ｏの分解に有効であることが知られている。
【０００５】
【発明が解決しようとする課題】
しかしながら、これらの触媒を用いて、麻酔ガスの排ガスを分解処理しようとすると、麻酔ガスに含まれる揮発性麻酔薬（フッ化アルキルエーテル）が触媒毒となり、連続的な処理において分解率が徐々に低下していくという問題があった。
【０００６】
また、触媒による分解処理の前処理として、吸着剤を用いてイソフルランとセボフルランを除去すると共に、吸着剤の再生時にこれらを回収する麻酔ガス処理システムが提案されている（甲斐ら「余剰麻酔ガス処理システムの開発と実用化」、第４９回麻酔学会年会予稿集）。
【０００７】
しかし、麻酔ガスの排ガスは、その排出量や排出濃度が一定しておらず、吸着剤の飽和状態を検知する方法が知られていないため、イソフルランやセボフルランが吸着飽和した吸着剤を通過し、被毒により触媒が劣化してしまう場合があった。そして、一旦被毒した触媒は、再生が困難で、触媒が高価であることを考慮すると、触媒の被毒は実用上大きな問題であった。
【０００８】
そこで、本発明の目的は、ハロゲン化アルキルエーテルに対して、低濃度で効果的に変色する検知剤、及びその検知剤を用いた検知方法を提供することにある。また、当該検知剤を利用することで、ハロゲン化アルキルエーテルによる触媒被毒前に、吸着剤の交換又は再生が可能となる麻酔ガスの処理方法及び処理装置を提供することにある。
【０００９】
【課題を解決するための手段】
本発明者らは、上記目的を達成すべく、ハロゲン化アルキルエーテルに対して、多種の発色化合物の使用可能性について鋭意研究したところ、変色成分として重クロム酸金属塩及び／又はクロム酸金属塩を用いることにより、上記目的が達成できることを見出し、本発明を完成するに至った。
【００１０】
即ち、本発明のハロゲン化アルキルエーテルの検知剤は、重クロム酸金属塩及び／又はクロム酸金属塩を変色成分として含むことを特徴とする。好ましくは、多孔質担体に重クロム酸金属塩及び／又はクロム酸金属塩並びに硫酸を少なくとも含浸してなるハロゲン化アルキルエーテルの検知剤である。
【００１１】
一方、本発明のハロゲン化アルキルエーテルの検知方法は、上記いずれかの検知剤を外部から視認可能な位置に配置した状態で、ハロゲン化アルキルエーテルを含有し得る被検知ガスと接触させることを特徴とする。
【００１２】
また、本発明の麻酔ガスの処理方法は、ハロゲン化アルキルエーテルおよび亜酸化窒素を含有する麻酔ガスを吸着剤で処理してハロゲン化アルキルエーテルを吸着除去し、吸着後のガスを触媒の存在下で加熱して亜酸化窒素を分解する麻酔ガスの処理方法において、上記の検知剤を用いて吸着剤で処理されたガス中のハロゲン化アルキルエーテルを検知し、この検知結果に基づき吸着剤の交換又は再生の時期を決定することを特徴とする。
【００１３】
一方、本発明の麻酔ガスの処理装置は、ハロゲン化アルキルエーテルおよび亜酸化窒素を含有する麻酔ガスが導入され、ハロゲン化アルキルエーテルの吸着剤を充填した吸着手段と、吸着後のガスが導入され、触媒の存在下で加熱により亜酸化窒素を分解する分解手段とを備える麻酔ガスの処理装置において、吸着剤で処理されたガスに接触するように請求項１又は２に記載の検知剤を配置してガス中のハロゲン化アルキルエーテルを検知し、この検知結果に基づき吸着剤の交換又は再生が可能なように構成したことを特徴とする。
【００１４】
上記において、前記吸着手段を複数段で構成すると共に、１段目の吸着剤で処理されたガス中のハロゲン化アルキルエーテルを前記検知剤を用いて検知し、この検知結果に基づき吸着剤の交換又は再生が可能なように構成するのが好ましい。
【００１５】
［作用効果］
本発明の検知剤によると、実施例の結果が示すように、重クロム酸金属塩及び／又はクロム酸金属塩を変色成分として含むため、ハロゲン化アルキルエーテルに対して、低濃度で効果的に変色する検知剤を提供することができる。その理由の詳細は不明であるが、検知前後の色の変化から、ハロゲン化アルキルエーテル又はその反応生成物によって、６価のクロムを含む重クロム酸金属塩又はクロム酸金属塩が、３価のクロムを含む化合物へと変化しているためと考えられる。
【００１６】
特に、本発明の検知剤が、多孔質担体に重クロム酸金属塩及び／又はクロム酸金属塩並びに硫酸を少なくとも含浸してなる場合、多孔質担体への含浸によって取り扱い性や変色の視認性が向上すると共に、硫酸の添加によって素反応が促進されて、変色性、即ち検知感度がより良好になる。硫酸の添加による素反応の促進は、ハロゲン化アルキルエーテルからのアルコールの生成や、クロム酸化物の生成が考えられる。
【００１７】
一方、本発明の検知方法によると、上記の如き検知剤を外部から視認可能な位置に配置した状態で、ハロゲン化アルキルエーテルを含有し得る被検知ガスと接触させるため、ハロゲン化アルキルエーテルに対して、低濃度で効果的に検知を行うことができる。
【００１８】
また、本発明の麻酔ガスの処理方法によると、上記の如き作用効果を有する検知剤を用いて、吸着剤で処理されたガス中のハロゲン化アルキルエーテルを検知し、この検知結果に基づき吸着剤の交換又は再生の時期を決定するため、低濃度での検知により、ハロゲン化アルキルエーテルによる触媒被毒前に、吸着剤の交換又は再生が可能となる。
一方、本発明の麻酔ガスの処理装置によると、吸着剤で処理されたガスに接触するように上記の検知剤を配置してガス中のハロゲン化アルキルエーテルを検知し、この検知結果に基づき吸着剤の交換又は再生が可能なように構成したため、低濃度での検知により、ハロゲン化アルキルエーテルによる触媒被毒前に、吸着剤の交換又は再生が可能となる。
【００１９】
また、前記吸着手段を複数段で構成すると共に、１段目の吸着剤で処理されたガス中のハロゲン化アルキルエーテルを前記検知剤を用いて検知する場合、ハロゲン化アルキルエーテルが検知された時点で、後段側へとハロゲン化アルキルエーテルが幾らか漏出することになるが、２段目又は更に後段の吸着剤により漏出したハロゲン化アルキルエーテルを吸着できるため、触媒被毒前により確実に、吸着剤の交換又は再生が可能となる。
【００２０】
【発明の実施の形態】
以下、本発明の実施の形態について、ハロゲン化アルキルエーテルの検知剤、検知方法、麻酔ガスの処理方法及び処理装置の順で説明する。
【００２１】
（ハロゲン化アルキルエーテルの検知剤）
本発明において検知可能なハロゲン化アルキルエーテルとしては、イソフルラン、セボフルランの他、炭素数１〜３のアルキル基の水素原子がハロゲンで全部又は一部置換されたハロゲン化アルキルエーテルなどが挙げられる。特に、イソフルラン、セボフルランの検知が可能となったことで、麻酔ガスの処理への応用が有効になる。
【００２２】
変色成分としては、重クロム酸金属塩及び／又はクロム酸金属塩が使用される。金属塩を形成する金属としては、カリウム、ナトリウムなどのアルカリ金属、カルシウム、マグネシウムなどのアルカリ土類金属、銀、鉄、鉛、バリウム等の遷移金属など、６価のクロムに着色を与えにくい金属が好ましい。
【００２３】
変色成分を検知剤として使用するには、粒状物等に担持又は付着等させるのが好ましく、粒状の多孔質担体に担持させて使用することがより好ましい。担体としては、アルミナ、シリカ、珪藻土等、様々なものを使用することができるが、白色のものが好ましく、粒状のシリカが好ましい。なお、粒状担体の粒径は２〜５ｍｍが好ましい。
【００２４】
また、変色成分に加えて、硫酸、塩酸、硝酸などの酸を添加するのが好ましく、特に硫酸を添加するのが好ましい。このような酸の添加により、素反応が促進されて、変色性、即ち検知感度がより良好になる。
【００２５】
前記の変色成分などを担体に担持させる方法は何れでもよく、例えば、重クロム酸金属塩及び／又はクロム酸金属塩を水、アルコール等の適当な溶媒に溶解し、これに担体を浸漬した後、溶媒を乾燥除去するなど、従来公知の方法で行うことができる。担体に担持させて使用する場合、変色成分の担持量（重量比）は、担体：Ｃｒ＝１：０．０４〜１：０．１にすることが好ましい。担持量が多くなり過ぎると変色が判別し難くなり、逆に、担持量が少なくなり過ぎるとハロゲン化アルキルエーテルに接触してもほとんど変色が認められなくなる。
【００２６】
また、酸の担持量（重量比）は、担体：酸＝１：０．０５〜１：０．１３５にすることが好ましい。酸の担持量が多くなり過ぎると酸によるクロム塩が生成するなど、目的とする反応が得られにくくなる傾向がある。
【００２７】
また、繊維、繊維布、多孔質膜などに変色成分を担持又は付着等させてもよく、その場合、上記の担体の場合と同様に、変色成分の溶液をこれらに含浸又は塗布等した後、溶媒を乾燥除去するなどすればよい。なお、本発明の検知剤は、変色を避けるために、ビニール袋等に入れて湿気及び直射日光を避けて保存するのが好ましい。
【００２８】
本発明の検知剤が、イソフルラン、セボフルランなどのハロゲン化アルキルエーテルに接触すると、接触前には淡黄色であったものが、淡青色に変色することで、視覚的にハロゲン化アルキルエーテルを検知することができる。また、反射光の波長を分析することで、電気的にハロゲン化アルキルエーテルを検知したり、その変色の度合いから、濃度を検出することも可能である。本発明の検知剤の検知感度としては、少なくとも約５ｐｐｍからの検知が可能である。
【００２９】
（ハロゲン化アルキルエーテルの検知方法）
本発明の検知方法は、本発明の検知剤を外部から視認可能な位置に配置した状態で、ハロゲン化アルキルエーテルを含有し得る被検知ガスと接触させるものである。具体的には、従来のこの種の検知剤と同様に、少なくとも一部が透明な筒体（カラム）内に前記検知剤を充填し、このカラム内に適当な流速で被検知ガス、例えば吸着処理後のガスを流通させる等すればよい。
【００３０】
その際、接触時の温度条件は、常温付近でよい。また、日光が直接照射する位置を避けて、カラムを配置するのが好ましい。
【００３１】
本発明の好ましい実施形態は、図１に示すように、ハロゲン化アルキルエーテルを吸着する吸着剤１を充填した容器２の下側から、被検知ガスを流通させて吸着を行いながら、吸着剤１の上層に配置した検知剤３を外部から視認することにより、ハロゲン化アルキルエーテルを検知して吸着剤１の吸着飽和を判断するものである。
【００３２】
容器２内部には、被処理ガスの分散機能と吸着剤１の支持機能を有する支持板４が設けられており、容器２の周壁には、検知剤３を外部から視認可能なのぞき窓２ａが設けられている。
【００３３】
検知剤３の充填高さは、５０ｍｍ以上が好ましく、検知剤３の変色の速さに応じて、ハロゲン化アルキルエーテルの排出量がある程度推測できる。このため、吸着剤１の種類等に応じて、その劣化による交換時期を予め検知剤３の変色の速さに対応させておくことにより、適切な時期に吸着剤１を交換又は再生することができる。吸着剤１については、後述する。
【００３４】
（麻酔ガスの処理方法及び処理装置）
本発明の麻酔ガスの処理方法は、ハロゲン化アルキルエーテルおよび亜酸化窒素を含有する麻酔ガスを吸着剤で処理してハロゲン化アルキルエーテルを吸着除去し、吸着後のガスを触媒の存在下で加熱して亜酸化窒素を分解するものである。
【００３５】
本発明の麻酔ガスの処理方法は、図２に示すような、本発明の処理装置を用いて好適に行うことができる。即ち、本発明の処理装置は、ハロゲン化アルキルエーテルおよび亜酸化窒素を含有する麻酔ガスが導入され、ハロゲン化アルキルエーテルの吸着剤１を充填した吸着手段１０と、吸着後のガスが導入され、触媒２１の存在下で加熱により亜酸化窒素を分解する分解手段２０とを備える。
【００３６】
本発明の麻酔ガスの処理方法は、本発明の検知剤を用いて吸着剤１で処理されたガス中のハロゲン化アルキルエーテルを検知し、この検知結果に基づき吸着剤１の交換又は再生の時期を決定することを特徴とする。このため、本発明の処理装置は、吸着手段１０を複数段で構成すると共に、１段目の吸着手段１１の吸着剤１で処理されたガス中のハロゲン化アルキルエーテルを、本発明の検知剤３ａ〜３ｃを用いて検知し、この検知結果に基づき吸着剤１の交換又は再生が可能なように構成している。
【００３７】
本発明で処理される麻酔ガスとしては、ハロゲン化アルキルエーテルおよび亜酸化窒素を含有するものであればよく、ハロゲン化アルキルエーテルとしては、イソフルランとセボフルランなどが挙げられる。また、これらの成分以外に空気、二酸化炭素（患者の呼気）等が含まれる場合がある。
【００３８】
本実施形態では、吸着手段１０が２段で構成され、１段目の吸着手段１１が弁Ｖ１によって切替可能なように２基並列型にしている。また、吸着手段１１の吸着剤１を交換する際には、圧縮空気などを流通させるパージラインを利用するのが好ましい（図示省略）。更に、吸着剤１を交換する代わりに、加熱したキャリアーガス、又は容器を加熱しながらキャリアーガスを流通させて、吸着剤１の再生（脱着）を行いながら、吸着したハロゲン化アルキルエーテルを回収するようにしてもよい。
【００３９】
１段目の吸着手段１１は、例えば図１に示すような、容器２に吸着剤１を充填しつつ、その上部に検知剤３ａを配置して、のぞき窓を介して外部から視認可能にしたものが使用できる。
【００４０】
２段目の吸着手段１２は、１段目の吸着手段１１の吸着剤１が吸着飽和して漏洩した場合でも、吸着手段１２によりハロゲン化アルキルエーテルを吸着できるように設けられている。吸着手段１２としては、１段目の吸着手段１１と同様のものが使用できるが、図示した例では、容器２に吸着剤１を充填しつつ、吸着剤１の中央部と上部に検知剤３ｂ，３ｃを配置して、のぞき窓を介して外部から視認可能にしている。このように、２段目の吸着手段１２で、上下２箇所でハロゲン化アルキルエーテルを検知できるようにすることで、ハロゲン化アルキルエーテルによる触媒被毒前に、より確実に吸着剤１の交換又は再生ができるようになる。
【００４１】
吸着剤１としては、活性炭、活性アルミナ、ゼオライトなどが使用できるが、活性炭が好ましい。活性炭としては、粒状活性炭又は繊維状活性炭が何れも使用でき、前者の原料としては、木質、ヤシ殻、石炭などが挙げられ、後者の原料としては、セルロース、ポリアクリロニトリル、フェノール樹脂、ピッチなどが挙げられる。これらの原料は、ガス賦活、薬品賦活などにより微細孔が生成される。活性炭は、粒状、ペレット状などに成形してもよく、また、各種化学薬品を添着したものでもよい。
【００４２】
分解手段２０には、内側容器２２に触媒２１が充填されており、内側容器２２の周囲には加熱用の電気ヒータ２３が配置されている。また、触媒２１の上部空間にはガス予熱用の電気ヒータ２４が配置されている。内側容器２２と外側容器２５の間には断熱材が設けられている。
【００４３】
触媒２１としては、Ｒh/Ｃe Ｏ2 系触媒、Ｒh/（Ｃe Ｏ2 ＋ＺｒＯ2 ）系触媒、Ｒh/Ａｌ2 Ｏ3 系触媒、Ｒh/（Ａｌ2 Ｏ3 ＋Ｃe Ｏ2 ）系触媒、これらの触媒のＲh に代えてＰｄ、Ｒh ＋Ｐｄ、ルテニウム、レニウム、オスミウム、イリジウム、を担持させた触媒などが挙げられる。また、金属酸化物として、亜鉛、コバルト、ニッケル、銅、マグネシウムなどの酸化物も使用可能である。これらの触媒については、特開２０００−３１７３０７号公報、特許第３２２１１１５号公報、特許第２９３４８３８号公報などに詳細に説明されており、それを用いた分解条件なども記載されている。このような触媒は、各種のものが市販されており、それら市販品も使用することができる。
【００４４】
分解手段２０により亜酸化窒素を分解するための条件としては、触媒の種類にもよるが３２０〜４５０℃、線速（ＬＶ）２〜４ｃｍ／秒、空間速度（ＳＶ）１２００〜２４００ｈ-1などが好適である。
【００４５】
分解手段２０の下流側にはファン３２による空冷式の冷却器３１が設けられている。冷却器３１の代わりに熱交換器を設けて、分解手段２０に導入されるガスを予熱するようにしてもよい。
【００４６】
さらに下流側には、減圧用のブロア３３が設けられている。これにより、被処理ガス（麻酔ガスの排ガス）を大気圧よりやや低い圧力で、処理装置に導入することができる。
【００４７】
図２に示す実施形態では、吸着手段を複数段で構成すると共に、１段目の吸着剤で処理されたガス中のハロゲン化アルキルエーテルを検知剤を用いて検知する例を示したが、吸着手段を１段のみで構成してもよい。その場合、１段目の吸着手段に吸着剤を充填する際に、例えば吸着剤を２分割して、その中間部分に検知剤を配置するのが好ましい。
【００４８】
【実施例】
以下、本発明の構成と効果を具体的に示す実施例等について説明する。
【００４９】
実施例１
クロム標準液（和光純薬製，重クロム酸カリウム（０．２８重量％）を０．１ｍｏｌ／Ｌ硝酸水溶液に溶解）１０ｍＬに濃硫酸（約９７重量％）２．５ｍＬを加えて攪拌・溶解した後、シリカ担体（富士シリシア製、ＣＡＲｉＡＣＴ  Ｑ−１０（１．７−４．００ｍｍ））３０ｇを投入して、常温で放置して含浸させた。これをろ別した後、直射日光を避けながら、日陰にて３０分間放置して乾燥させ、本発明の検知剤を得た。
【００５０】
これを内径２０ｍｍのポリ塩化ビニル製（透明）のチューブに入れ、イソフルラン０．３体積％、亜酸化窒素４体積％、酸素２体積％、残部窒素ガスの被検知ガスを線速（ＬＶ）２ｃｍ／秒で導入し、その前後の変色を調べた。その結果、導入前には淡黄色であったものが、導入後には淡青色に変色した。
【００５１】
実施例２
実施例１で調製した本発明の検知剤を同じチューブに入れ、セボフルラン０．３体積％、亜酸化窒素４体積％、酸素２体積％、残部窒素ガスの被検知ガスを導入し、導入前後の変色を調べた。その結果、導入前には淡黄色であったものが、導入後には淡青色に変色した。
【００５２】
比較例１
ブランク実験として、実施例１において、イソフルランを含まない被検知ガスを用いたこと以外は実施例１と同様にして、被検知ガスをチューブに導入して検知剤の変色を調べた。その結果、１０分導入後においても検知剤の変色は見られなかった。
【００５３】
実施例３
図２に示すような麻酔ガスの処理装置において、検知剤として実施例１で調製したもの、吸着剤として活性炭（武田薬品工業（株）製、粒状白鷺Ｇ２Ｃ４／８、４〜８メッシュ）４０ｇ／１基を、触媒として、Ｒｈ＋Ｐｄ／（Ａｌ2 Ｏ3 ＋Ｃe Ｏ2 ）系触媒（ズードケミー触媒（株）製，Ｎ−３５０、２．５ｍｍ押出品）５０ｇを用いた装置を使用した。被処理ガスとして、イソフルラン０．３体積％、セボフルラン０．３体積％、亜酸化窒素４体積％、酸素２体積％、残部窒素ガスを含むものを対象とし、被処理ガスを１Ｌ／分で供給しながら、吸着と分解（３９０℃、ＬＶ＝２ｃｍ／秒、ＳＶ＝１２００ｈ-1）を行った。
【００５４】
このとき、約１８０分後に１段目の検知剤が変色した。その間の亜酸化窒素の分解率は、９９．９％以上に維持されており、排ガスには、終始ハロゲン化アルキルエーテルは含まれていなかった。
【００５５】
比較例２
実施例３において、検知剤を一切使用せず、かつ吸着剤を１段のみにして、同一条件で被処理ガスの吸着と分解を行ったところ、約１８０分後に亜酸化窒素の分解率の低下が始まった。
【図面の簡単な説明】
【図１】本発明の検知方法に使用する装置の一例を示す正面図
【図２】本発明の麻酔ガスの処理方法に使用する装置の一例を示す概略構成図
【符号の説明】
１          吸着剤
２          容器
２ａ        のぞき窓
３          検知剤
３ａ〜３ｃ  検知剤
１０        吸着手段
１１        １段目の吸着手段
１２        ２段目の吸着手段
２０        分解手段
２１        触媒
２３        電気ヒータ
２４        電気ヒータ
【図１】
0003762324.tif 000002
【図２】
0003762324.tif 000003